(57)【要約】【課題】  婚礼・葬祭・舞台用などで使用されるセレモニー用の発光演出機器に関して、注ぐ水に反応し、流れるような自然な強い光と持続力を発揮する低ランニングコストの演出用機器の提供。【解決手段】  防水された複数のLED基板と二次電池で構成される演出用発光ユニットにおいて、水が接触することにより通電し発光する際、組み込まれた遅延用ICの電流制御によって最高輝度に到達するまでの時間を調整し、自然な発光と低ランニングコストを可能とする特徴を持った演出装置。【選択図】図３
2011159418.tif 000002
【特許請求の範囲】
【請求項１】
樹脂により防水された複数のLED基板と二次電池により構成される演出機材において、 内蔵された遅延用ICの電流制御によってLEDが最高輝度に達するまでの時間を遅らせることにより、自然な発光を可能とする特徴を持った演出装置。かつ装置には発光チェックのためのテストスイッチ、並びに「RGB可変フルカラーLED」の制御用手動可変抵抗が組み込まれている。
【発明の詳細な説明】
【技術分野】
【０００１】
本発明は、LEDと２次電池を利用した婚礼・葬祭・舞台用の発光式演出機材に関するものである。
【背景技術】
【０００２】
婚礼・葬祭・舞台用などで使用される演出の中で、「発光」を利用した演出はキャンドル演出とともに効果的な演出方法として広く認知されている。現在行われている発光演出は、
１，サイリュームなどの化学発光液を使用した演出方法
２，使い捨ての１次電池を密閉内蔵した発光体を使用した演出方法
等が使用されている。それぞれの特徴は下記の通りである。
【０００３】
１，「サイリュームなどの化学発光液を使用した演出」は、流れるような光の演出が特徴であるが、毎回のコストと使用後の廃液が発生し、再利用されることなく廃棄されている。発光液は強い有機溶剤であり、内分泌攪乱物質がふくまれるとして欧州では禁止されている種類の発光液も存在する。発光液の使用に関しては専門的な知識と経験が必要であるが、 広範囲に販売されているため披露宴など料理とともに卓上に供される事による経口摂取や、皮膚接触による体内への皮下浸透摂取、下水への垂れ流しによる河川のへの汚染が懸念されている。メーカーは高温焼却による最終処分を推奨しているが、強制ではなく使用者のモラルにゆだねられており、実際に行われているかの検証ができないのが現状である。
【０００４】
２，「使い捨ての一次電池を内蔵した発光体を使用した演出方法」は、その形状から指向性が強く、前面に照射する光しか利用することができない。発光の方法は水接点による通電方式や手動スイッチが利用され、その点灯する模様は電気的な発光である。また、電池容量の関係から発光体の数、発光時間が限定される。発光体そのものは堅牢なプラスチック製の容器に封入されているので廃棄の際の分別はほとんど行われず、細かな部品の再利用はされていない。
【０００５】
二つの方法の演出の効果を比べたとき、サイリュームなどの発光液を使用した演出が水が流れるような発光特性を持つので効果的といえるが、使用毎に化学発光液の廃棄物が発生し、その一部は河川に流入するという欠点がある。また、使い捨て一次電池を利用した演出はその構造から、廃液等の発生はしないが、個々の発光力は強くなく、電気的な光りかたをするので演出効果が高いとはいえない。
【先行技術文献】
【特許文献】
【０００６】
特開2005-31753号公報
【０００７】
特開2006-164550号公報
【発明の概要】
【発明が解決しようとする課題】
【０００８】
解決しようとする問題点は、化学発光液よりも高い演出効果を発揮し、発生する有害物質や廃棄物を抑え、演出に関わるランニングコストの低減とセッテイングにおける手間を軽減することにある。
【課題を解決するための手段】
【０００９】
本発明は、繰り返し使用できる堅牢な防水型LEDユニットと再生可能な２次電池で構成され、強く明るい自然な発光と、環境・人体への安全性、ランニングコストの低減を主な特徴とする。
【発明の効果】
【００１０】
本発明は「注いだ水が光る」ようにみせる演出で使用するため、樹脂により防水された本体フレームと防水基板、防水型電池ケースに内封された電源部により構成される。本体フレームは複数の防水基板により構成され、各基盤にはLEDと水接点スイッチ、発光遅延用のIC回路、電源回路、可変抵抗が組み込まれており注いだ水により各防水基板の水接点に微弱電流が流れると電源回路が通電状態となる。その際、発光遅延用のIC回路の電流制御により、まるで水が光っているかのような自然な発光を再現できる利点がある。
【図面の簡単な説明】
【００１１】
【図１】図１は基板の回路図である。
【図２】図２は基板の部品配置例と樹脂による防水加工を施した図である。
【図３】図３はフレームに防水基板を配置し、電池ケースの収納場所をしめした図である。
【発明を実施するための形態】
【００１２】
1枚の専用基板には3個のLEDと1個の水接点スイッチ、遅延用のIC回路、電源回路、可変抵抗等の電子部品が組み込まれ 、基板そのものを樹脂で覆い防水構造とする。
【００１３】
個々の基板に組み込まれた水接点は、水を注がれる事で微弱電量が流れ電源回路が通電状態となりLEDを発光させる。その際、遅延用IC回路の電流制御により最大照度に到達する時間を３から５秒間遅延させ、より自然に近い発光を実現、注いだ水の流れに応じて、自然な発光を再現する事ができるため、あたかも水が光っているかのような印象を与えることができる。
【００１４】
フレームの内部に防水型電池ケースを収納する一体構造とすることにより、外部電源を必要とせず、場所を選ばず設置ができる。このことは電源コードが露出せず「注いだ水が光る神秘的な演出」を強く印象付けるものであり、演出の商品価値を向上させる要因にもなる。
【００１５】
フレームの形状に合わせて個々の基板の設置方法を変えることができ、様々な形状のユニットに応用が可能である。
【００１６】
電源回路には昇圧回路を内蔵することにより６Vか１２Vを使用することができ、内蔵する電池に応じて最大発光時間を調整することが可能である。
【００１７】
実装するLEDは 基板の回路の切り替えに応じて「自動変色型フルカラーLED」や「RGB可変フルカラーLED」を装着することができる。「自動変色型フルカラーLED」は自動で様々な色に変化する。また「RGBフルカラーLED」は内蔵する可変抵抗器によって様々な色調の発光色を発生させることができる。
【実施例１】
【００１８】
図１は、本発明装置の回路図である。水が接点に接触することにより微弱電量が流れ電源回路に定格の電量が流れる。その際、発光遅延用ICの電流制御によりLEDへの定格電量を3秒から5秒かけて徐々に上げる制御を加える。
【００１９】
図２は、本発明装置の個々の基板の基本的な部品の配置と、基板全体への樹脂による防水を示すものである。上下の電線は他の基板へ渡り電線として接続され全体のユニットを構成する。
【００２０】
図２の防水基板は様々な形のユニットに配置することが可能であり、使用においては縦・横どの方法でも使用可能である。
【００２１】
図３は、全体の構成図であり、組み立てユニットの例である。専用の電池は防水型電池ケースに入れてフレーム内部に収納される。バッテリーと発光ユニットは専用のコネクターで接続し、テスト用スイッチと共に防水型電池ケース内に収納され防水される。
【００２２】
本発明品は、発光チェック用のテストスイッチにより全LEDの発光テストを一括して行うことができるため、事前の発光チェックが可能という利点を持つ。
【産業上の利用可能性】
【００２３】
本発明品を使用することにより、従来発生していた化学薬品の廃棄物やプラスチック、一次電池の廃棄物と共に二酸化炭素の発生を抑えることができ、地球環境の保全に大きく貢献する事ができる。
【符号の説明】
【００２４】
１    バッテリー
２    電源回路
３    遅延用IC
４    電圧調整用可変抵抗
５    LED
６    水接点スイッチ
７    発光テスト用スイッチ
８    防水樹脂
９    防水型電池ケース
10    バッテリー（組電池）
11    コネクタ
12    フレーム
13    防水基板  
14    渡り電線（他のユニットへ）
【図１】
2011159418.tif 000003
【図２】
2011159418.tif 000004
【図３】
2011159418.tif 000005